(57)【要約】【課題】内部清掃等が容易な画像読取装置を提供する。【解決手段】駆動ローラ４と従動ローラ６によるローラ対によって読取媒体を挟持搬送し、読取手段によって画像を読み取る画像読取装置において、駆動ローラ４を保持する本体枠１と、従動ローラ６を保持する蓋枠２とを開閉可能に構成し、前記枠体が開いた状態にあるときと、閉じた状態にあるときとで異なる動作モードとなるよう構成したことを特徴とする。【選択図】    図２
2004236261.tif 000002
【特許請求の範囲】
【請求項１】
駆動回転体と従動回転体による回転体対によって処理媒体を挟持搬送し、処理手段によって画像処理を行う画像読取装置において、
前記駆動回転体を保持する第１枠体と、前記従動回転体を保持する第２枠体とを開閉可能に構成し、前記枠体が開いた状態にあるときに操作手段の操作によって前記駆動回転体を所定時間駆動回転させるよう構成したことを特徴とする画像処理装置。
【発明の詳細な説明】
【０００１】
【発明の属する技術分野】
本発明は原稿や記録シート等の処理媒体を搬送し、画像の読み取りや記録等の画像処理を行うことが可能な画像処理装置に関する。
【０００２】
【従来の技術】
スキャナ等の画像読取装置は原稿やフィルムをローラ対等の搬送手段で読取部へ搬送し、読取部において光照射して光学的に読み取る。このような装置にあっては、読取媒体が搬送途中で詰まる、いわゆるジャムを生ずる場合があるため、ジャム処理を容易にできるように構成しておかなければならない。また、必要に応じて搬送ローラを清掃し、ローラ対によるグリップ力を維持させることが望ましい。
【０００３】
そのため、例えば特開平１０−１４５５３３号公報や特開平９−６５２０１号公報等に開示されているように、装置本体を第１筐体と第２筐体とに分けるとともに、それぞれの筐体をヒンジ等によって回動可能に連結することで開閉可能に構成し、読取媒体を搬送するローラ対のうち、一方のローラを第１筐体に配置し、他方のローラを第２筐体に配置するようにしている。
【０００４】
これにより、筐体を開くことによって搬送路を開放することができるため、読取媒体がジャムした場合には、ジャム処理を容易に行うことができる。また、筐体を開放すると搬送ローラが露出するため、該ローラの清掃を容易になし得る。
【０００５】
【特許文献１】
特開平１０−１４５５３３号公報
【特許文献２】
特開平０９−０６５２０１号公報
【発明が解決しようとする課題】
しかしながら、上記構成の装置にあっては筐体を開くと搬送ローラは露出するが、該ローラのうち駆動ローラは駆動モータとギア列等を介して連結しているため、外から回転させることができない。そのため、駆動ローラの全周を拭いて清掃することが困難であった。
【０００６】
本発明は上記課題に鑑みてなされたものであり、その目的は、内部清掃等が容易な画像処理装置を提供するものである。
【０００７】
【課題を解決するための手段】
上記目的を達成するための本発明に係る代表的な構成は、駆動回転体と従動回転体による回転体対によって処理媒体を挟持搬送し、処理手段によって画像処理を行う画像読取装置において、前記駆動回転体を保持する第１枠体と、前記従動回転体を保持する第２枠体とを開閉可能に構成し、前記枠体が開いた状態にあるときに操作手段の操作によって前記駆動回転体を所定時間駆動回転させるよう構成したことを特徴とする。
【０００８】
【発明の実施の形態】
次に本発明の一実施形態に係る画像処理装置について図面を参照して説明する。なお、画像処理装置としては処理媒体として原稿を搬送し、その画像を画像処理手段としての読取手段で読み取る画像読取装置や、処理媒体として記録シート等記録媒体を搬送し、これに画像処理手段としての記録手段で画像を記録する記録装置等があるが、ここでは処理媒体として原稿フィルムを搬送して画像を読み取る画像読取装置を例示して説明する。
【０００９】
図１は枠体を閉じた状態を示す画像読取装置の断面模式説明図、図２は枠体を開放した状態を示す画像読取装置の断面模式説明図である。また、図３は照明ランプを取り外す状態を示す模式説明図であり、図４は制御構成のブロック図、図５は動作のフローチャートである。
【００１０】
本実施形態に係る画像読取装置は、図１に示すように、第１枠体としての本体枠１と、第２枠体としての蓋枠２とがヒンジ２ａによって回転可能に連結されており、蓋枠２は本体枠１に当接した閉じた状態（図１の状態）と、回動して本体枠１から離れた開いた状態（図２の状態）との間を移動可能となっている。
【００１１】
原稿フィルム３は、本体枠１に回転可能に保持された駆動回転体としての駆動ローラ４と、蓋枠２に回転可能に保持された従動回転体としての従動ローラ６とからなる回転体対によって挟持され、駆動ローラ４の回転に伴って図１の左右方向に搬送されるようになっている。
【００１２】
駆動ローラ４は駆動モータ５と連結しており、駆動モータ５によって回転駆動される。一方、従動ローラ６はバネ７によって駆動ローラ４に圧接するように付勢されている。
【００１３】
搬送された読取媒体は画像処理手段としての読取手段によって画像が読み取られる。この読取手段は、照明手段としての照明ランプ８やレンズ１１、ＣＣＤラインセンサ１２等で構成され、読取媒体を照明ランプ８で光照射し、その透過光を開口９からミラー１０、レンズ１２を介してＣＣＤラインセンサ１３上に投影して読み取る。そして、駆動ローラ４によってフィルム３を左右方向に移動させながらＣＣＤラインセンサ１２にて画像を読取ることにより、フィルム３上の全画像を読取ることができるようになっている。
【００１４】
また照明ランプ８の保持機構は、図３に示すように、蓋枠２を開状態にして、従動ローラ６側から照明ランプ８を着脱できるようになっており、照明ランプ８の交換が容易にできる構造となっている。
【００１５】
画像光の通路の入口部の開口９の上には遮蔽板１３が左右方向に移動可能に配されており、モータ１４およびそれに連結したギア１５によって開口９を覆う位置（図２に示す位置）と、開口９から退避した位置（図１に示す位置）との間を移動するようになっている。
【００１６】
さらに、図１に示すように、蓋枠２が閉位置にあるときに、開閉スイッチ１６が蓋枠２の突起２ｂによって押され、ＯＮ状態になるように配置されている。また、蓋枠２の回動端部にはロックレバー１７が軸１７ａを中心に回動可能に取り付けられ、バネ１８によって図１の反時計回り方向に付勢されており、先端にはロック爪１７ｂを有している。
【００１７】
これにより、蓋枠２が閉状態にあるときロックレバー１７のロック爪１７ｂは本体枠１の爪部１ａと係合するようになっており、係合した際にはロックレバー１７のロック爪１７ｂがロック検知スイッチ１９を押してＯＮ状態にさせるようになっている。このロックレバー１７によって蓋枠２は閉位置に確実に固定される。
【００１８】
２０は操作手段を構成する操作ボタンであり、これを操作することにより制御手段２２に接続された入力スイッチ２１のＯＮ／ＯＦＦを操作し、装置を動作させるものである。
【００１９】
制御手段２２は、図４のブロック図に示すように構成されており、入力スイッチ２１、ロック検知スイッチ１９、開閉スイッチ１６等のスイッチやセンサからの信号を制御手段２２が入力し、駆動モータ５や遮蔽板１３を駆動するモータ１４、照明ランプ８等の駆動を制御するように構成されている。
【００２０】
次に前記制御手段で制御される画像読取装置の動作について、図５のフローチャートに従って説明する。
【００２１】
図示しない電源がＯＮになったスタート状態（Ｓ１０１）から、まず開閉スイッチ１６のＯＮ、ＯＦＦがチェックされ（Ｓ１０２）、ＯＮ状態であることが確認されたら次には蓋枠２をロックしているロックレバー１７の有無を検知するロック検知スイッチのＯＮ、ＯＦＦがチェックされる（Ｓ１０３）。この２つのスイッチがＯＮしていることが確認されて初めてＳ１０４に進み、照明ランプ８が点灯され、続けて遮蔽板１３の開口９から退避した位置（図１に示す位置）への移動が行われ（Ｓ１０５）、読み取り動作の準備動作が完了する。
【００２２】
前記状態で、原稿フィルム３が画像読取装置に装填され、パソコンのマウス等の図示せぬ入力手段により読み取り動作開始の指示がなされる（Ｓ１０６）と、フィルム原稿３上の画像読み取り動作が行われる（Ｓ１０７）。ここで待機状態となり、再び読み取り動作指示がなされる（Ｓ１０６）と、原稿読み取り動作を再度行う（Ｓ１０７）。
【００２３】
なお、画像読み取り動作自体はすでに公知の動作であるのでここでは省略する。この待機状態において、操作者が操作ボタン２０を押して入力スイッチ２１をＯＮさせる（Ｓ１０８）と、原稿フィルム３の排出動作が行われ（Ｓ１０９）、一連の読み取り動作が終了する（Ｓ１１０）。
【００２４】
一方、蓋枠２のロックレバー１７と本体枠１の爪部１ａとの係合が解除され、ロック検知スイッチ１９がＯＦＦになる（Ｓ１０３）か、蓋枠２が回動して開状態になって突起２ｂが開閉検知スイッチ１６から離れ、ＯＦＦになる（Ｓ１０２）と、照明ランプ８の消灯動作が行われ（Ｓ１１１）、遮蔽板１３の開口９を覆う位置への移動動作が行われる（Ｓ１１２）。
【００２５】
従って、蓋枠２が開位置にある場合（図２）では、万が一、開閉スイッチ１６あるいはロック検知スイッチ１９のどちらかが故障しても確実に照明ランプ８は消灯し、遮蔽板１３は閉じることになる。さらに、開閉スイッチ１６をＯＮ、ＯＦＦさせる部品とロック検知スイッチ１９をＯＮ、ＯＦＦさせる部品は異なるため、どちらかの部品の動作に異常があっても、照明ランプ８の消灯、遮蔽板１３の閉動作は確実に行われる。
【００２６】
一般的に照明ランプ８は点灯中は高温になったり、高電圧がかかっていたりする。そのため、蓋枠２が開状態の時に操作者が照明ランプ８に手で触るようなことがなく、また照明ランプ８を従動ローラ６側から抜き取って交換する際には照明ランプ８に通電されないようにする必要がある。この点、本実施形態では蓋枠２が開状態のときは照明ランプ８が確実に消灯している。
【００２７】
また、蓋枠２が開位置にある状態では、フィルム原稿３の画像読み取り部の開口９が露出することになり、ゴミやほこりが光学系内部に侵入する危険性があり、一旦内部にゴミ、ほこりが侵入すると、分解清掃が必要となるため、蓋枠２が開状態にあるときには確実に開口９を遮蔽板１３が覆っている必要がある。
【００２８】
そのために、前述したように、開閉スイッチ１６とロック検知スイッチ１９の２つのスイッチで蓋枠２の開閉状態を検知するようにすれば、確実且つ効果的である。
【００２９】
更に、蓋枠２が開状態にあるときには、万一、読み取り動作の命令があったとしても動作は行われないため、無駄な動作による電力の浪費や、原稿フィルム３が駆動ローラ４上に乗っている状態で駆動ローラ４が回転し、フィルムを傷つける等の事故を防ぐことができる。
【００３０】
また、蓋枠２を開状態にすると駆動ローラ４が露出するが、この駆動ローラ４は図示せぬギア列等を介して駆動モータ５に連結しているため、駆動モータ５が停止している間は駆動ローラ４を手等で回すことができずない。従って、このままでは駆動ローラ４の全周を清掃することができない。そこで、本実施形態にあっては蓋枠２が開状態においては、操作ボタン２０を押して入力スイッチ２１をＯＮさせると（Ｓ１１３）、駆動モータ５によって駆動ローラ４を１０秒間回転させる動作を行うように制御されるようになっている（Ｓ１１４）。これにより、蓋枠２を開状態にして駆動ローラ４を清掃する際に、布等を駆動ローラ４に押し付けて操作ボタン２０を押すことで駆動ローラ４が回転し、該ローラ４の清掃を容易に行うことが可能となる。
【００３１】
なお、前述した実施形態では画像読取装置を例示して説明したが、処理媒体として記録シート等の記録媒体を駆動ローラと従動ローラとで挟持搬送し、記録手段において所定画像を記録する記録装置にあっても、前述したように駆動ローラと従動ローラとを別枠体に取り付けるとともに、該枠体を開閉可能に構成し、枠体を開いた状態で操作手段の操作によって駆動ローラを所定時間駆動回転させるようにすれば、記録装置における駆動ローラの清掃が容易になるので効果的である。
【００３２】
〔実施態様〕
次に本発明を適用し得る好ましい実施態様を以下に列挙する。
【００３３】
［実施態様１］  駆動回転体と従動回転体による回転体対によって処理媒体を挟持搬送し、処理手段によって画像処理を行う画像読取装置において、
前記駆動回転体を保持する第１枠体と、前記従動回転体を保持する第２枠体とを開閉可能に構成し、前記枠体が開いた状態にあるときに操作手段の操作によって前記駆動回転体を所定時間駆動回転させるよう構成したことを特徴とする画像処理装置。
【００３４】
［実施態様２］  前記枠体を閉じた状態では、前記操作手段の操作により処理媒体の排出動作を行うことを特徴とする実施態様１記載の画像処理装置。
【００３５】
【発明の効果】
本発明は前述したように、枠体を開いた状態で駆動回転体を所定時間回転させることができるため、駆動回転体の全周の清掃を容易に行うことが可能となる。
【００３６】
また、排出処理を行わせるための操作手段の操作によって駆動回転体を所定時間回転させるようにすれば、特別に部品点数を増加することなく駆動回転体の清掃動作を行わせることが可能となる。
【図面の簡単な説明】
【図１】枠体を閉じた状態を示す画像読取装置の断面模式説明図である。
【図２】枠体を開放した状態を示す画像読取装置の断面模式説明図である。
【図３】照明ランプを取り外す状態を示す模式説明図である。
【図４】制御構成のブロック図である。
【図５】動作のフローチャートである。
【符号の説明】
１    …本体枠
１ａ  …爪部
２    …蓋枠
２ａ  …ヒンジ
３    …原稿フィルム
４    …駆動ローラ
５    …駆動モータ
６    …従動ローラ
７    …バネ
８    …照明ランプ
９    …開口
１０    …ミラー
１１    …レンズ
１２    …ＣＣＤラインセンサ
１３    …遮蔽板
１４    …モータ
１５    …ギア
１６    …開閉スイッチ
１７    …ロックレバー
１７ａ  …軸
１７ｂ  …ロック爪
１８    …バネ
１９    …ロック検知スイッチ
２０    …操作ボタン
２１    …入力スイッチ
２２    …制御手段
【図１】
2004236261.tif 000003
【図２】
2004236261.tif 000004
【図３】
2004236261.tif 000005
【図４】
2004236261.tif 000006
【図５】
2004236261.tif 000007